【事件の表示】
　平成　９年特許願第２３３６２２号「ディスク状記録媒体並びにディスク再生装置およびディスク記録再生装置」拒絶査定不服審判事件〔平成１０年　５月１５日出願公開、特開平１０−１２４８７９〕について、次のとおり審決する。
【結　論】
　本件審判の請求は、成り立たない。
【理　由】
１．手続の経緯・本願発明
　本願は、平成９年８月２９日（優先権主張平成８年８月３０日）の出願であって、その請求項１ないし１５に係る発明は、平成１８年１月１３日付けで手続補正された明細書の特許請求の範囲の請求項１ないし１５に記載されたとおりのものであり、そのうち、請求項1に係る発明は、次のとおりのものと認める。（以下、「本願発明」という。）
「【請求項１】
　螺旋状または同心円状のグルーブを有し、光ビームが追従すべきグルーブが半径方向に複数のゾーンに分割され、物理アドレス情報とセクタ境界情報とがグルーブをウォブルして記録され、一定の角速度で回転した場合に得られる物理アドレス情報のウォブル周波数が各ゾーン内で一定でかつ外周側のゾーンほど増加し、セクタ境界情報に対応させてグルーブ上またはランド上に記録データが配置され
、セクタ長が所定長とした場合の１回転当たりのセクタ数が正の整数個とはならないゾーンを含む
　
１．引用例発明
（１）引用例１
これに対して、原査定の拒絶の理由に引用された、本願優先権主張の日前である平成４年１１月１０日に頒布された「特開平４−３１９５２９号公報」（以下、「引用例１」という。）には、図面とともに次の事項が記載されている。
（１）「【００１８】
　　【課題を解決するための手段】
　本発明は、スパイラル状の記録トラックにサンプリングサーボ方式のサーボバイトが形成される一方、記録トラックが半径方向に複数のゾーンに分割され、一定角速度で回転駆動されたときのそれぞれのゾーンにおけるデータ記録再生周波数が段階的に変化する光ディスクのデータ記録方法において、隣接するゾーンの境界領域では、連続的にデータ記録再生周波数を変化させるようにしたものである。」
（２）「【００２２】
　この実施例では、光ディスクはＭＣＡＶ方式で駆動され、記録トラックは、内周側から外周側に向かって４つのゾーンＺ１，Ｚ２，Ｚ３，Ｚ４、ゾーンＺ１とゾーンＺ２の境界領域Ｒ１、ゾーンＺ２とゾーンＺ３の境界領域Ｒ２、および、ゾーンＺ３とゾーンＺ４の境界領域Ｒ３に分割されており、境界領域Ｒ１のデータの記録再生周波数は、ゾーンＺ１の記録再生周波数からゾーンＺ２の記録周波数に直線的に変化し、境界領域Ｒ２のデータの記録再生周波数は、ゾーンＺ２の記録再生周波数からゾーンＺ３の記録周波数に直線的に変化し、境界領域Ｒ３のデータの記録再生周波数は、ゾーンＺ３の記録再生周波数からゾーンＺ４の記録周波数に直線的に変化している。」
（３）「【００２３】
　ここで、光ディスクは一定の角速度で回転駆動されるから、例えば、図２に示すように、再生信号には、ゾーンＺ１では周期ｔ１でサーボバイトＳＢがあらわれ、ゾーンＺ２では周期ｔ２でサーボバイトＳＢがあらわれ、境界領域Ｒ１では周期ｔ１１，ｔ１２，ｔ１３，ｔ１４でそれぞれサーボバイトＳＢがあらわれる。これらの周期には、次式の関係がある。
　　　【００２４】
　　　ｔ１ｔ１１ｔ１２ｔ１３ｔ１４ｔ２」
（４）「【００２６】
　したがって、この光ディスクにデータを記録／再生する光ピックアップ装置が、ゾーンＺ１からゾーンＺ２に向かって移動するときを考えると、まず、光ピックアップ装置がゾーンＺ１をアクセスしている状態では、信号処理系のＰＬＬ回路の基準クロックは、図３（ａ）に示すように、周期ｔ１に対応した周波数ＳＦ（１）に一致している。
（５）「【００２７】
　光ピックアップ装置がゾーンＺ１から境界領域Ｒ１に移動すると、境界領域Ｒ１の最初のサーボバイトＳＢは、ゾーンＺ１の最後のサーボバイトＳＢから周期ｔ１であらわれるから、ＰＬＬ回路の状態は保持される。」
（６）「【００３０】
　そして、光ピックアップ装置がゾーンＺ２にまで移動すると、ＰＬＬ回路は、ゾーンＺ２の最初のサーボバイトＳＢを検出し、ＰＬＬ回路の同期状態は、その検出タイミングに同期する態様に変化する。それ以降は、ゾーンＺ２のサーボバイトＳＢが周期ｔ２であらわれるので、ＰＬＬ回路は、周期ｔ２でサーボバイトＳＢを検出する状態を保持する。」
　
　これらの記載事項によると、引用例１には、「スパイラル状の記録トラックを有し、記録トラックが半径方向に複数のゾーンに分割され、一定角速度で回転駆動されたときのそれぞれのゾーンにおけるデータ記録再生周波数が段階的に外周側ほど高くなるよう変化する光ディスク」の発明（以下、「引用例１記載の発明」という。）が記載されているものと認められる。
　
（２）引用例２
　同じく、原査定の拒絶の理由に引用された、本願優先権主張の日前である平成６年１１月４日に頒布された「特開平６−３０９６７３号公報」（以下、「引用例２」という。）には、図面とともに次の事項が記載されている。
「【０００７】
　この点を図１０乃至図１２に基づいて具体的に説明すると、
光ディスク１表面には例えば螺旋状（図示せず）になされた案内溝が形成されており、この案内溝（グルーブ）２はアドレス情報等に基づいて蛇行するようにウォブリングされている。
　この場合、トラックピッチＬ１は例えば１．６μｍ程度に設定され、ウォブリングの振幅Ｌ２は例えば０．０６μｍ程度に設定され、ウォブリングのＦＭ変調キャリヤ周波数は一定である。ここでウォブリング（Ｗｏｂｂｌｉｎｇ）とは、追記型ＣＤ（ＣＤ−Ｒ）や書換型ミニディスク（ＭＤ）にて採用されている技術であり、案内溝を僅かに蛇行させて絶対時間（またはアドレス）及びＣＬＶの同時信号を埋め込むようになっている。例えば絶対時間等のアドレスデータをＦＭ（周波数変調）してその信号で案内溝を僅かに蛇行させるようになっている。そして、
ドライブで記録する際に、トラッキングサーボの誤差信号の中に案内溝の蛇行に応じたＦＭ信号が含まれるのでこれをバンドパスフィルタ等により抽出し、ＦＭキャリヤ（ＦＭの中心周波数）をＣＬＶの同期信号として使用し、ＦＭを復調して絶対時間（またはアドレス）を読むようになっている。
　
２．対比
　本願発明と引用例１記載の発明を対比する。
　引用例１記載の発明の「スパイラル状の記録トラックを有し」は、トラックはランド又はグルーブで構成されていることから、本願発明の「螺旋状または同心円状のグルーブを有し」に相当する。
　引用例１記載の発明の「記録トラックが半径方向に複数のゾーンに分割され」は、本願発明の「光ビームが追従すべきグルーブが半径方向に複数のゾーンに分割され」に相当する。
　引用例１記載の発明の「光ディスク」は、本願発明の「ディスク状記録媒体」に相当する。
　
　　してみると、両発明の一致点、相違点は以下のとおりである。
　
［一致点］
「螺旋状または同心円状のグルーブを有し、光ビームが追従すべきグルーブが半径方向に複数のゾーンに分割され、グルーブ上またはランド上に記録データが配置されることを特徴とするディスク状記録媒体。」である点。
［相違点］
（１）　本願発明が、「セクタ境界情報に対応させてグルーブ上またはランド上に記録データが配置され」る構成であるのに対して、引用例発明には、特に、このような構成は明記されていない点。
（２）本願発明が、「物理アドレス情報とセクタ境界情報とがグルーブをウォブルして記録され、一定の角速度で回転した場合に得られる物理アドレス情報のウォブル周波数が各ゾーン内で一定でかつ外周側のゾーンほど増加」しているのに対して、引用例発明は、「一定角速度で回転駆動されたときのそれぞれのゾーンにおけるデータ記録再生周波数が段階的に外周側ほど高くなるよう変化」している点。
（３）本願発明が、「セクタ長が所定長とした場合の１回転当たりのセクタ数が正の整数個とはならないゾーンを含む」のに対して、引用例発明には、特にこのような構成は記載されていない点。
　
３．当審の判断
　相違点（１）について、トラックをセクタ分割して記録することは、（Ａ）特開平６−２４３４６８号公報（段落番号０００８、図１〜３）、（Ｂ）特開平５−２５０８１０号公報（段落番号０００８、段落番号００４１、図６）に記載されているように周知事項であり、この周知事項を適用し、「セクタ境界情報に対応させてグルーブ上またはランド上に記録データが配置され」る構成とすることは当業者が容易に想到しうることである。
　
　相違点（２）について、本願発明の「物理アドレス情報がグルーブをウォブルして記録」する構成は、引用例２の「光ディスク１表面には例えば螺旋状（図示せず）になされた案内溝が形成されており、この案内溝（グルーブ）２はアドレス情報等に基づいて蛇行するようにウォブリングされている。」という記載事項から明らかなように、優先権主張の日前からよく知られた構成である。また、物理アドレス情報によってセクタ分割し、ウォブルすることは、特に、先の文献（Ａ）の図２に記載されているように周知事項であり、これらの事項を引用例1記載の発明に適用して「物理アドレス情報とセクタ境界情報とがグルーブをウォブルして記録」される構成とすることは、当業者が容易に想到しうることである。また、引用例１記載の発明に対して、「物理アドレス情報とセクタ境界情報とがグルーブをウォブルして記録」される構成を適用すれば、ウォブル周波数は、引用例２の記載事項にもあるようにデータ記録再生周波数として利用されることから、「一定の角速度で回転した場合に得られる物理アドレス情報のウォブル周波数が各ゾーン内で一定でかつ外周側のゾーンほど増加」する構成となることは明らかである。
　
　相違点（３）について、光ディスクにおいて、「セクタ長が所定長とした場合の１回転当たりのセクタ数が正の整数個とはならないゾーンを含む」ような構成は、例えば、先の文献（Ａ）の段落番号０００８、（Ｂ）の段落番号００４１、００７８にみられるように周知事項であり、引用例１記載の発明にこのような周知事項を適用することは、当業者が適宜なしうる設計事項にすぎない。
　
４．むすび
　以上のとおりであるから、本願発明は周知技術を勘案し引用例１記載の発明、引用例２記載の発明、及び周知事項に基づいて当業者が容易に発明をすることができたものであるから、特許法第２９条第２項の規定により特許を受けることができない。
　したがって、その余の請求項には言及するまでもなく、本願は拒絶すべきものである。
　
　よって、結論のとおり審決する。